(57)【要約】【課題】機械的に識別することが困難な特殊媒体の識別を支援し、識別ミスを効率的に防止すること。【解決手段】投入された特殊媒体を撮像し、特殊媒体のイメージを取り込んで金種及び券種等を識別し、イメージと識別結果を個別表示画面で表示する。修正操作を受け付けた場合には、識別結果を修正する。この個別表示画面による確認を全ての特殊媒体について行った後、受け付けた複数の特殊媒体のイメージと識別結果とを一覧表示画面で表示する。一覧表示画面による識別結果の再確認により、識別ミスを効率的に防止し、その後、特殊媒体を識別結果に応じた収納部に収納する。【選択図】図１
2015095109.tif 000002
【特許請求の範囲】
【請求項１】
特殊媒体を収納する特殊媒体収納装置であって、
前記特殊媒体の投入を受け付ける特殊媒体受付手段と、
投入された前記特殊媒体を撮像する撮像手段と、
前記特殊媒体受付手段により複数の前記特殊媒体の受付が行われた場合に、当該複数の特殊媒体の画像と該特殊媒体の属性とを対応付けて一覧表示する表示制御手段と
を備えたことを特徴とする特殊媒体収納装置。
【請求項２】
前記特殊媒体は、機械的に真偽・金種判定が困難な貨幣、汚損貨幣、記念硬貨、小切手の少なくとも一つを含むものであることを特徴とする請求項１に記載の特殊媒体収納装置。
【請求項３】
前記特殊媒体の属性を入力する操作部と、
前記操作部により入力された属性により前記特殊媒体を分類する分類手段と
をさらに備えたことを特徴とする請求項１又は２に記載の特殊媒体収納装置。
【請求項４】
前記撮像手段により撮像された特殊媒体の画像に基づいて前記特殊媒体の属性を判定し、当該判定された属性により前記特殊媒体を分類する分類手段をさらに備えたことを特徴とする請求項１又は２に記載の特殊媒体収納装置。
【請求項５】
前記特殊媒体を前記分類手段の分類結果に応じて収納する収納手段をさらに備えたことを特徴とする請求項３又は４に記載の特殊媒体収納装置。
【請求項６】
前記撮像手段は、前記特殊媒体の両面の像を撮像し、前記分類手段による分類結果に応じて前記特殊媒体の表面像と裏面像とを識別し、
前記表示制御手段は、前記特殊媒体の表面像を前記一覧表示に用いる
ことを特徴とする請求項３〜５のいずれか一つに記載の特殊媒体収納装置。
【請求項７】
前記表示制御手段は、
前記撮像手段により撮像された特殊媒体の画像を当該特殊媒体の分類結果に対応付けて個別表示が可能であり、
前記一覧表示の実行中に、前記複数の特殊媒体のいずれかが選択された場合に、選択された特殊媒体について前記個別表示を行う
ことを特徴とする請求項３〜６のいずれか一つに記載の特殊媒体収納装置。
【請求項８】
前記撮像手段により撮像された特殊媒体の画像を縮小加工し、前記一覧表示用の画像を生成する加工手段をさらに備えたことを特徴とする請求項１〜７のいずれか一つに記載の特殊媒体収納装置。
【請求項９】
前記分類手段は、分類結果に対する修正入力を受け付けた場合に前記分類結果を修正することを特徴とする請求項３〜８のいずれか一つに記載の特殊媒体収納装置。
【請求項１０】
前記表示制御手段は、前記特殊媒体受付手段による受付順に前記複数の特殊媒体の画像を一覧表示することを特徴とする請求項１〜９のいずれか一つに記載の特殊媒体収納装置。
【請求項１１】
前記表示制御手段は、並べ替え条件が指定された場合に、当該条件に沿って前記複数の特殊媒体の画像を並べ替えて一覧表示することを特徴とする請求項１０に記載の特殊媒体収納装置。
【請求項１２】
特殊媒体を収納する特殊媒体収納方法であって、
前記特殊媒体の投入を受け付ける特殊媒体受付ステップと、
投入された前記特殊媒体を撮像する撮像ステップと、
前記特殊媒体受付ステップにより複数の前記特殊媒体の受付が行われた場合に、当該複数の特殊媒体の画像と該特殊媒体の属性とを対応付けて一覧表示する表示制御ステップと
を含んだことを特徴とする特殊媒体収納方法。
【発明の詳細な説明】
【技術分野】
【０００１】
この発明は、汚損の生じた貨幣や小切手等の特殊媒体を収納する特殊媒体収納装置及び特殊媒体収納方法に関する。
【背景技術】
【０００２】
従来、銀行等の金融機関の営業店では営業店内の貨幣等を管理するために出納機と呼ばれる貨幣処理装置が利用されている（例えば、特許文献１参照。）。出納機には紙幣や硬貨が入出金されるが、この入出金の際に各貨幣の金種、正損、真偽等が識別され、識別結果に基づいて金種別の金額や入出金の合計金額が算出される。
【０００３】
しかし、汚損が激しい貨幣は機械的に金種や真偽を識別することが困難である。また記念硬貨は出納機では金種、正損、真偽等が識別できずに取り扱うことができない。そこで、このような貨幣等の有価媒体である特殊媒体については、別の装置で収納及び管理を行っている。例えば、特許文献２には、特殊貨幣の両替に要する処理時間を短縮するため、特殊貨幣の画像を取り込んでその識別を支援するシステムが開示されている。
【先行技術文献】
【特許文献】
【０００４】
【特許文献１】特開２００３−１５０７９３号公報
【特許文献２】特開２０１１−２５３３６４号公報
【発明の概要】
【発明が解決しようとする課題】
【０００５】
特殊媒体を収納して管理する特殊媒体収納装置において、特殊媒体を受け付けた場合にその画像を表示し、識別を行わせれば、識別結果に応じて適切に分類を行って収納することができる。しかしながら、この識別にミスが発生した場合には、誤った識別結果により分類されて収納されるため、識別のミスを如何にして防止するかが重要な課題である。
【０００６】
特殊媒体は、もとより汚損や流通量の少なさなどから、精度よく識別することが難しいため、複数回にわたり識別結果のチェックを行うことが望ましい。ところが、現状では操作者の自発的な再確認に依存するケースが多く、特殊媒体の識別ミスを効率的に防止することができなかった。
【０００７】
本発明は、上記従来技術の課題を解消するためになされたもので、機械的に識別することが困難な特殊媒体の識別を支援し、識別ミスを効率的に防止することのできる特殊媒体収納装置及び特殊媒体収納方法を提供することを目的とする。
【課題を解決するための手段】
【０００８】
上述した課題を解決し、目的を達成するため、本発明は、特殊媒体を収納する特殊媒体収納装置であって、前記特殊媒体の投入を受け付ける特殊媒体受付手段と、投入された前記特殊媒体を撮像する撮像手段と、前記特殊媒体受付手段により複数の前記特殊媒体の受付が行われた場合に、当該複数の特殊媒体の画像と該特殊媒体の属性とを対応付けて一覧表示する表示制御手段とを備えたことを特徴とする。
【０００９】
また、本発明は、上記発明において、前記特殊媒体は、機械的に真偽・金種判定が困難な貨幣、汚損貨幣、記念硬貨、小切手の少なくとも一つを含むものであることを特徴とする。
【００１０】
また、本発明は、上記発明において、前記特殊媒体の属性を入力する操作部と、前記操作部により入力された属性により前記特殊媒体を分類する分類手段とをさらに備えたことを特徴とする。
【００１１】
また、本発明は、上記発明において、前記撮像手段により撮像された特殊媒体の画像に基づいて前記特殊媒体の属性を判定し、当該判定された属性により前記特殊媒体を分類する分類手段をさらに備えたことを特徴とする。
【００１２】
また、本発明は、上記発明において、前記特殊媒体を前記分類手段の分類結果に応じて収納する収納手段をさらに備えたことを特徴とする。
【００１３】
また、本発明は、上記発明において、前記撮像手段は、前記特殊媒体の両面の像を撮像し、前記分類手段による分類結果に応じて前記特殊媒体の表面像と裏面像とを識別し、前記表示制御手段は、前記特殊媒体の表面像を前記一覧表示に用いることを特徴とする。
【００１４】
また、本発明は、上記発明において、前記表示制御手段は、前記撮像手段により撮像された特殊媒体の画像を当該特殊媒体の分類結果に対応付けて個別表示が可能であり、前記一覧表示の実行中に、前記複数の特殊媒体のいずれかが選択された場合に、選択された特殊媒体について前記個別表示を行うことを特徴とする。
【００１５】
また、本発明は、上記発明において、前記撮像手段により撮像された特殊媒体の画像を縮小加工し、前記一覧表示用の画像を生成する加工手段をさらに備えたことを特徴とする。
【００１６】
また、本発明は、上記発明において、前記分類手段は、分類結果に対する修正入力を受け付けた場合に前記分類結果を修正することを特徴とする。
【００１７】
また、本発明は、上記発明において、前記表示制御手段は、前記特殊媒体受付手段による受付順に前記複数の特殊媒体の画像を一覧表示することを特徴とする。
【００１８】
また、本発明は、上記発明において、前記表示制御手段は、並べ替え条件が指定された場合に、当該条件に沿って前記複数の特殊媒体の画像を並べ替えて一覧表示することを特徴とする。
【００１９】
また、本発明は、特殊媒体を収納する特殊媒体収納方法であって、前記特殊媒体の投入を受け付ける特殊媒体受付ステップと、投入された前記特殊媒体を撮像する撮像ステップと、前記特殊媒体受付ステップにより複数の前記特殊媒体の受付が行われた場合に、当該複数の特殊媒体の画像と該特殊媒体の属性とを対応付けて一覧表示する表示制御ステップと、を含んだことを特徴とする。
【発明の効果】
【００２０】
本発明によれば、投入された複数の特殊媒体を撮像して、複数の特殊媒体の画像とその属性とを対応付けて一覧表示するので、特殊媒体の識別を支援し、識別ミスを効率的に防止することができる。
【図面の簡単な説明】
【００２１】
【図１】図１は、実施例に係る特殊媒体の受付について説明するための説明図である。
【図２】図２は、現金処理装置の外観図である。
【図３】図３は、現金処理装置の機能構成を示す機能ブロック図である。
【図４】図４は、表示操作処理部による表示制御について説明するための説明図である。
【図５】図５は、特殊媒体データ管理部が管理するデータについて説明するための説明図である。
【図６】図６は、特殊媒体の受付に係る処理手順を示すフローチャートである。
【図７】図７は、個別表示処理の処理手順を示すフローチャートである。
【図８】図８は、一覧表示処理の処理手順を示すフローチャートである。
【図９】図９は、バラ紙幣処理部の構成を示すブロック図である。
【図１０】図１０は、束紙幣処理部の構成を示すブロック図である。
【図１１】図１１は、バラ硬貨処理部の構成を示すブロック図である。
【図１２】図１２は、包装硬貨処理部の構成を示すブロック図である。
【図１３】図１３は、損貨処理装置の構成を示すブロック図である。
【図１４】図１４は、損券処理装置の構成を示すブロック図である。
【図１５】図１５は、表示操作部の角度調整機構について説明するための説明図である。
【発明を実施するための形態】
【００２２】
以下に、添付図面を参照して、本発明に係る特殊媒体収納装置及び特殊媒体収納方法の好適な実施例を詳細に説明する。なお、以下の実施例では、特殊媒体を取り扱う装置と、機械的に真偽や金種を判定することのできる貨幣を取り扱う貨幣処理装置とを含む現金処理装置に本発明を適用した場合を例に説明する。また、本発明は、銀行等の金融機関の他、大型店舗等の商業施設においても利用可能な技術であるが、以下の実施例では、銀行を例に説明を行う。
【実施例】
【００２３】
まず、本実施例に係る特殊媒体の受付について説明する。図１は、実施例に係る特殊媒体の受付について説明するための説明図である。特殊媒体には、汚損が激しい貨幣、記念硬貨、手形、小切手等が含まれる。図１（ａ）に示すメニュー画面において特殊媒体の入金に対応する項目が選択され、特殊媒体が投入されると、装置内部で特殊媒体の撮像が行われる。入金に対応する項目とは、特殊媒体が貨幣であるか小切手であるか等の項目である。
【００２４】
図１（ｂ）に示すように、撮像により取り込まれた特殊媒体のイメージは、個別表示画面で表示される。入金した特殊媒体が貨幣の場合、特殊媒体のイメージを見ながら金種や券種の特殊媒体の属性を、個別表示画面上より選択（入力）する。この金種や券種の入力は、取り込んだイメージに対する画像認識により自動的に行なってもよい。この個別表示画面では、投入された特殊媒体のイメージと金種や券種等の属性が表示される。券種とは、紙幣の新旧に関する種類を特定するもので、例えば、金種が同じ一万円の紙幣が、券種では、紙幣の新旧によってＤ一万円券やＥ一万円券というように区別される。
【００２５】
図１（ｂ）では、金種が「一万円」であり、券種が「Ｅ券」であると識別した場合を示している。操作者は、この識別結果と特殊媒体のイメージとを確認し、識別結果が適切であるか否かを確認する。確認のために特殊媒体の裏面のイメージを確認したい場合には、イメージに対するクリック操作によりイメージの表裏反転が可能である。また、イメージの拡大や回転を可能としてもよい。識別結果が誤っていたならば、操作者は適切な金種や券種を選択することで識別結果を修正することができる。ここでいう識別結果とは、操作者が個別表示画面上より選択した結果であってもよいし、画像認識により自動的に行なった結果であってもよい。また図１（ａ）に示すメニュー画面において特殊媒体の入金に対応する選択結果（例えば、小切手、汚損貨幣、記念硬貨等）であってもよい。
【００２６】
図１（ｂ）に示した個別表示画面で特殊媒体のイメージと識別結果とを確認した後、次の特殊媒体の確認を行う場合には、図１（ｂ）に示した個別表示画面による確認が繰り返される。そして、投入された全ての特殊媒体の確認が済んだ場合には、図１（ｃ）に示す一覧表示画面が表示される。
【００２７】
図１（ｃ）に示す一覧表示画面は、受け付けた複数の特殊媒体のイメージと識別結果とを一覧で表示するものである。複数の特殊媒体のイメージを同時に表示するため、各特殊媒体のイメージは縮小されている。このように縮小イメージを並べて表示すれば、縮小イメージ個別の情報量は個別表示画面よりも少なくなるが、他の特殊媒体の縮小イメージと見比べて識別結果を確認することができる。このため、個別表示画面で見落としていていた識別のミスを容易に発見できるのである。
【００２８】
一覧表示画面である特殊媒体の縮小イメージに対するクリック操作を受け付けると、その特殊媒体の個別表示画面に遷移することができる。従って、一覧表示画面で識別のミスを発見した場合には、個別表示画面に遷移させて、識別結果を修正すればよい。
【００２９】
このように、特殊媒体の投入時に個別表示画面を表示して識別結果を確認させ、さらに全ての特殊媒体の投入後に一覧表示画面を表示して識別結果を再確認させることにより、識別ミスを効率的に防止することができる。なお、一覧表示画面による再確認を行った後、投入された特殊媒体は、その識別結果に応じた収納部に仕分けられて収納される。（例えば記念硬貨と汚損硬貨、あるいは小切手と汚損紙幣に仕切って収納される。）
【００３０】
次に、現金処理装置の外観について説明する。図２は、現金処理装置の外観図である。現金処理装置１では、バラ紙幣処理部１００及び束紙幣処理部２００から成る紙幣処理装置１０と、バラ硬貨処理部３００及び包装硬貨処理部４００から成る硬貨処理装置２０との間に、損券処理装置６００が配置され、損券処理装置６００の上面に損貨処理装置５００が配置されている。紙幣処理装置１０及び硬貨処理装置２０の上面には、それぞれ表示操作部４０及びプリンタ５０が配置され、それぞれの装置で作業する操作員は、各装置の前から移動することなく表示操作部４０の操作や表示情報の確認を行えるようになっている。
【００３１】
バラ紙幣処理部１００は、筐体前面に、入金されるバラ紙幣を受け入れるためのバラ紙幣入金口１１０とリジェクトされたバラ紙幣を投出するための入金リジェクト部１２０を有し、筐体上面に、出金されるバラ紙幣を取り出すためのバラ紙幣出金口１５２を有している。束紙幣処理部２００は、筐体前面上部に、束紙幣を取り出すための帯封紙幣出金口２１８を有し、筐体前面下部に、束紙幣を機外へ投出するための帯封紙幣投出口２２１を有している。
【００３２】
バラ硬貨処理部３００は、筐体上面に、入金されるバラ硬貨を受け入れるためのバラ硬貨入金口３１０を有し、筐体前面に、出金されるバラ硬貨を取り出すためのバラ硬貨出金口３７０、リジェクトされたバラ硬貨を投出するための入金リジェクト口３２２、硬貨袋を取り付けて該硬貨袋内にバラ硬貨を回収できるように形成された袋取シュート部３２４、入金処理途中に処理がキャンセルされたバラ硬貨を排出するための返却回収箱３２６を有している。包装硬貨処理部４００は、筐体前面上部に、包装硬貨を取り出すための包装硬貨出金口４８０を有し、その下に、大量の包装硬貨を一括回収するための包装硬貨一括箱４６０と包装硬貨を機外へ投出するための包装硬貨投出口４７０とを有している。
【００３３】
損貨処理装置５００は、硬貨処理装置２０では受け付けられない硬貨を受け入れるための損貨入金口５１０と、受け付けた硬貨を分類して収納するための流通硬貨収納部５４０及び記念硬貨収納部５４４と、返却する硬貨を収納するための返却硬貨収納部５４２とを有している。受け付けた硬貨のうち、流通硬貨の損貨が流通硬貨収納部５４０に収納され、記念硬貨の正貨及び損貨が記念硬貨収納部５４４に収納される。
【００３４】
損券処理装置６００は、筐体上面前部に、紙幣処理装置１０では受け付けられない損券や、小切手、手形等の紙葉類を受け入れるための紙葉類入金口６１０を有し、筐体前面に、損券等の紙葉類を排出するための紙葉類出金口６８０と損券等を投入して保管するポスト６７０とを有している。
【００３５】
次に、現金処理装置１の機能構成について説明する。図３は、現金処理装置１の機能構成を示す機能ブロック図である。図３に示すように、現金処理装置１は、バラ紙幣及び束紙幣を処理する紙幣処理装置１０と、バラ硬貨及び包装硬貨を処理する硬貨処理装置２０と、紙幣処理装置１０による機械受付ができない損券を処理する損券処理装置６００と、硬貨処理装置２０による機械受付ができない損貨及び記念硬貨を処理する損貨処理装置５００と、これらの装置に接続されて各装置の機能及び動作を制御する管理制御部３０と、該管理制御部３０を操作するための表示操作部４０と、収納された貨幣の明細情報等を印刷するためのプリンタ５０とを有する。
【００３６】
管理制御部３０は、その内部に紙幣処理制御部３１、硬貨処理制御部３２、特殊媒体処理制御部３３及び表示操作処理部３４を有する。紙幣処理制御部３１は、紙幣処理装置１０の動作を制御する処理部であり、バラ入出金処理部３１ａ、束入出金処理部３１ｂ、結束処理部３１ｃ及び精査処理部３１ｄを有する。
【００３７】
バラ入出金処理部３１ａは、紙幣処理装置１０によるバラ紙幣の入出金を制御する処理部である。束入出金処理部３１ｂは、紙幣処理装置１０による束紙幣の入出金を制御する処理部である。結束処理部３１ｃは、バラ紙幣を結束し、束紙幣にする処理を制御する処理部である。精査処理部３１ｄは、紙幣処理装置１０の内部におけるバラ紙幣や束紙幣を計数し、その在高を確認して更新する処理部である。
【００３８】
硬貨処理制御部３２は、硬貨処理装置２０の動作を制御する処理部であり、バラ入出金処理部３２ａ、棒金入出金処理部３２ｂ、包装処理部３２ｃ及び精査処理部３２ｄを有する。
【００３９】
バラ入出金処理部３２ａは、硬貨処理装置２０によるバラ硬貨の入出金を制御する処理部である。棒金入出金処理部３２ｂは、硬貨処理装置２０による包装硬貨（いわゆる棒金）の入出金を制御する処理部である。包装処理部３２ｃは、バラ硬貨を包装し、包装硬貨にする処理を制御する処理部である。精査処理部３２ｄは、硬貨処理装置２０の内部におけるバラ硬貨や包装硬貨を計数し、その在高を確認して更新する処理部である。
【００４０】
特殊媒体処理制御部３３は、損貨処理装置５００及び損券処理装置６００の動作を制御する処理部であり、受付処理部３３ａ、払出処理部３３ｂ、縮小イメージ生成部３３ｃ及び特殊媒体データ管理部３３ｄを有する。
【００４１】
受付処理部３３ａは、特殊媒体の受付を制御する処理部である。具体的には、受付処理部３３ａは、特殊媒体が投入された場合に、その両面の画像を撮像させてイメージを取り込み、表裏、金種及び券種等を識別する。ここでいう識別とは、前述のように、操作者が図１（ｂ）の個別表示画面上より選択した結果であってもよいし、画像認識により自動的に行なった結果であってもよいし、図１（ａ）に示すメニュー画面において特殊媒体の入金に対応する選択結果（例えば、小切手、汚損貨幣、記念硬貨等）であってもよい。そして、特殊媒体と識別結果の対応関係が確定したならば、確定した識別結果に対応する収納部に各特殊媒体を収納する。
【００４２】
払出処理部３３ｂは、特殊媒体の払出を制御する処理部である。払出処理部３３ｂは、収納された特殊媒体の払出を求める操作を受け付けた場合に、対応する収納部から特殊媒体を払い出させる。
【００４３】
縮小イメージ生成部３３ｃは、特殊媒体のイメージが取り込まれた場合に、その表面のイメージを縮小し、一覧表示画面への表示に用いる縮小イメージを生成する。この縮小イメージは、受け付けた特殊媒体の識別結果が確定し、収納部に収納されるまで保持されるが、収納部への収納が行われた場合には破棄される。
【００４４】
特殊媒体データ管理部３３ｄは、損貨処理装置５００及び損券処理装置６００に収納された特殊媒体を管理する処理部である。具体的には、特殊媒体データ管理部３３ｄは、特殊媒体の受付が行われた場合に、その日時と担当者とを関連付けた処理データを生成して保持する。また、各処理データに対し、特殊媒体のイメージデータと、識別結果とを関連付けて保持する。
【００４５】
表示操作処理部３４は、表示操作部４０に対する表示制御と、表示操作部４０に対する操作の受付とを行う処理部である。表示操作処理部３４は、紙幣処理装置１０、硬貨処理装置２０、損貨処理装置５００及び損券処理装置６００の操作に関与する。
【００４６】
特に、受付処理部３３ａが特殊媒体を受け付けた場合には、表示操作処理部３４は、特殊媒体のイメージと識別結果とを個別表示画面にて表示し、全ての特殊媒体の投入後に一覧表示画面を表示して識別結果を再確認させる。
【００４７】
この表示操作処理部３４による表示制御についてさらに説明する。図４は、表示操作処理部３４による表示制御について説明するための説明図である。図４に示すように、初期状態では、表示操作処理部３４は、メニュー画面を表示制御している。このメニュー画面は、紙幣処理装置１０、硬貨処理装置２０、損貨処理装置５００及び損券処理装置６００の操作に関する項目を表示したものである。
【００４８】
メニュー画面において特殊媒体の入金に対応する項目が選択され、特殊媒体が投入されると、装置内部で特殊媒体の撮像が行われ、特殊媒体のイメージの取り込みが開始される。そして、前述したように、取り込んだイメージを用いて自動的にあるいは操作者の選択による特殊媒体の識別が行われ、特殊媒体の識別結果と特殊媒体のイメージとが個別表示画面に表示される。ここで、表示される特殊媒体のイメージは、両面を撮像して得た２つのイメージのうち、表面と判定されたイメージである。
【００４９】
個別表示画面においてイメージに対するクリック操作が行われると、表示操作処理部３４は、特殊媒体の裏面のイメージを表示する個別表示画面を表示制御する。ここで再びイメージに対するクリック操作が行われると、表示操作処理部３４は、特殊媒体の表面のイメージを表示する個別表示画面を表示制御する。すなわち、個別表示画面では、イメージに対するクリック操作により、特殊媒体の表裏を反転してイメージを表示することができる。
【００５０】
この個別表示画面では、識別結果の修正入力を受け付けることが可能である。個別表示画面で特殊媒体のイメージと識別結果とを確認した後、次の特殊媒体の確認を行う場合には、個別表示画面による確認が繰り返される。そして、投入された全ての特殊媒体の確認が済んだ場合には、表示操作処理部３４は一覧表示画面を表示制御する。
【００５１】
一覧表示画面では、受け付けた複数の特殊媒体のイメージと識別結果とを一覧で表示する。この場合には、縮小イメージ生成部３３ｃにより生成した縮小イメージを用いる。特殊媒体の縮小イメージの並び順は、取り込みを行った順序である。ここで、操作者がソート条件を指定したならば、指定された条件に基づいて並べ替え（ソート）を行って一覧表示を行うことができる。ソート条件としては、金種や券種を用いる事ができる。また、ソート済の一覧表示画面からは、ソートを解除する操作により取込順の一覧表示画面に戻ることができる。
【００５２】
取込順やソート済の一覧表示画面である特殊媒体の縮小イメージに対するクリック操作を受け付けると、表示操作処理部３４は、その特殊媒体の個別表示画面を表示制御する。この個別表示画面では、識別結果の修正を行うことが可能であり、元の一覧表示画面への復帰も可能である。また、個別表示画面においてイメージに対するクリック操作が行われると、表示操作処理部３４は、特殊媒体の表裏を反転してイメージを表示する。
【００５３】
このように、全ての特殊媒体の投入後に一覧表示画面を表示して識別結果を再確認させた後、投入された特殊媒体は識別結果に応じた収納部に仕分けられて収納される。（例えば記念硬貨と汚損硬貨、あるいは小切手と汚損紙幣に仕切って収納される、あるいは金種や券種別に収納することも可能である。）特殊媒体の収納が完了すると、表示操作処理部３４は、メニュー画面の表示に戻る。
【００５４】
次に、特殊媒体データ管理部３３ｄが管理するデータについて説明する。図５は、特殊媒体データ管理部３３ｄが管理するデータについて説明するための説明図である。図５（ａ）は、特殊媒体データ管理部３３ｄが管理する受付ログを示す。受付ログは、特殊媒体の受付を行った日時と、操作を行った担当者を識別する担当者ＩＤと、受け付けた処理を識別する処理データＩＤとを関連付けたデータである。
【００５５】
図５（ａ）では、日時「２０１３／１１／１２  １３：２０」に担当者ＩＤ「Ｐ００６」である担当者が特殊媒体を投入し、その処理データＩＤが「Ｔ０００１」であることを示している。また、日時「２０１３／１１／１２  １４：５５」に担当者ＩＤ「Ｐ００２」である担当者が特殊媒体を投入し、その処理データＩＤが「Ｔ０００２」であることを示している。
【００５６】
また、図５（ｂ）は、処理データの詳細を示している。処理データは、処理データを識別する処理データＩＤと、読み取った特殊媒体に付与した読取データＩＤと、イメージデータと、識別結果と、チェックフラグとを対応付けたデータである。
【００５７】
チェックフラグは、その読取データについて、後から再確認が必要である場合等に使用するフラグデータでありフラグを立てた状態で「１」、フラグを落とした状態で「０」となる。チェックフラグは、個別表示画面や一覧表示画面で書き換えることができる。
【００５８】
図５（ｂ）では、処理データＩＤ「Ｔ０００１」の処理において、最初に読み取った特殊媒体に読取データＩＤ「Ｆ００１」を付し、２枚目に読み取った特殊媒体に読取データＩＤ「Ｆ００２」を付し、３枚目の読み取った特殊媒体に読取データＩＤ「Ｆ００３」を付した状態を示している。
【００５９】
また、読取データＩＤ「Ｆ００１」のイメージデータは「Ｔ０００１−Ｆ００１．ｊｐｇ」であり、識別した種別は「紙幣」、金種は「１００００」、券種は「Ｅ」であり、チェックフラグが「０」であることを示している。また、読取データＩＤ「Ｆ００２」のイメージデータは「Ｔ０００１−Ｆ００２．ｊｐｇ」であり、識別した種別は「紙幣」、金種は「５０００」、券種は「Ｄ」であり、チェックフラグが「１」であることを示している。また、読取データＩＤ「Ｆ００３」のイメージデータは「Ｔ０００１−Ｆ００３．ｊｐｇ」であり、識別した種別は「紙幣」、金種は「１００００」、券種は「Ｄ」であり、チェックフラグが「０」であることを示している。
【００６０】
これらの受付ログ及び処理データにより、収納部への収納が完了した特殊媒体について、後からその識別結果が適切であるかなどを確認することが可能となる。特殊媒体データ管理部３３ｄは、図５に示した受付ログ及び処理データの他、各処理部における特殊媒体の収納状況を管理しているが、受付ログ及び処理データは、収納された特殊媒体が払い出された後も残される。
【００６１】
次に、特殊媒体の受付に係る処理手順について説明する。図６は、特殊媒体の受付に係る処理手順を示すフローチャートである。損貨入金口５１０や紙葉類入金口６１０に投入された特殊媒体を受け付けると（ステップＳ１０１）、特殊媒体処理制御部３３の受付処理部３３ａは、損貨処理装置５００や損券処理装置６００に特殊媒体の両面を撮像させ、特殊媒体のイメージを取り込む（ステップＳ１０２）。
【００６２】
イメージ取込の後、特殊媒体は、損貨処理装置５００や損券処理装置６００の内部に設けられた一時保留部に搬送される（ステップＳ１０３）。受付処理部３３ａは、取り込んだイメージを用いて特殊媒体の種別、金種、券種等を識別する（ステップＳ１０４）とともに、イメージの表裏の識別と回転の補正処理を行う（ステップＳ１０５）。
【００６３】
表示操作処理部３４は、特殊媒体の識別結果と特殊媒体のイメージとを用いて個別表示処理を行う（ステップＳ１０６）。個別表示処理の詳細については後述する。個別表示処理の後、受付処理部３３ａは、投入された全ての特殊媒体についてデータの確定が完了したかを判定する（ステップＳ１０７）。データの確定が完了していない特殊媒体が残っている場合には（ステップＳ１０７；Ｎｏ）、受付処理部３３ａは、ステップＳ１０１に移行する。
【００６４】
投入された全ての特殊媒体についてデータの確定が完了したならば（ステップＳ１０７；Ｙｅｓ）、縮小イメージ生成部３３ｃは、特殊媒体の表面のイメージを縮小し、一覧表示画面への表示に用いる縮小イメージを生成する（ステップＳ１０８）。表示操作処理部３４は、縮小イメージと識別結果とを一覧で表示する一覧表示処理を行う（ステップＳ１０９）。一覧表示処理の詳細については後述する。
【００６５】
一覧表示処理の後、受付処理部３３ａは、特殊媒体の受付を確定する操作が行われたか否かを判定する（ステップＳ１１０）。特殊媒体の受付を確定する操作が行われたならば（ステップＳ１１０；Ｙｅｓ）、受付処理部３３ａは、一時保留部の特殊媒体を識別結果に対応する収納部にそれぞれ搬送し（ステップＳ１１１）、処理を終了する。一方、特殊媒体の受付を取り消す操作が行われたならば（ステップＳ１１０；Ｎｏ）、受付処理部３３ａは、一時保留部の特殊媒体を全てリジェクトし（ステップＳ１１２）、処理を終了する。
【００６６】
次に、図６に示した個別表示処理について詳細に説明する。図７は、個別表示処理の処理手順を示すフローチャートである。表示操作処理部３４は、まず、特殊媒体の表面のイメージと、識別結果とを個別表示画面として表示する（ステップＳ２０１）。次に、表示操作処理部３４は、イメージに対するクリック操作を受付けたか否かを判定する（ステップＳ２０２）。クリック操作を受付けたならば（ステップＳ２０２；Ｙｅｓ）、個別表示画面における特殊媒体のイメージを表裏反転する（ステップＳ２０３）。
【００６７】
ステップＳ２０３の終了後、若しくはクリック操作を受付けていない場合（ステップＳ２０２；Ｎｏ）、表示操作処理部３４は、識別結果の修正操作を受付けたか否かを判定する（ステップＳ２０４）。識別結果の修正操作を受付けたならば（ステップＳ２０４；Ｙｅｓ）、受け付けた内容によってデータの修正を行う（ステップＳ２０５）。
【００６８】
ステップＳ２０５の終了後、若しくは修正操作を受付けていない場合（ステップＳ２０４；Ｎｏ）、表示操作処理部３４は、データ確定操作を受付けたか否かを判定する（ステップＳ２０６）。データ確定操作を受け付けていなければ（ステップＳ２０６；Ｎｏ）、表示操作処理部３４は、ステップＳ２０２に移行する。そして、データ確定操作を受け付けたならば（ステップＳ２０６；Ｙｅｓ）、当該特殊媒体のデータを確定して個別表示処理を終了する。
【００６９】
次に、図６に示した一覧表示処理について詳細に説明する。図８は、一覧表示処理の処理手順を示すフローチャートである。表示操作処理部３４は、まず、各特殊媒体の縮小イメージと識別結果とを取込順に並べた一覧表示画面を表示制御する（ステップＳ３０１）。
【００７０】
一覧表示画面において、いずれかの縮小イメージに対するクリック操作を受け付けたならば（ステップＳ３０２；Ｙｅｓ）、表示操作処理部３４は、クリックされた縮小イメージに対応する特殊媒体の個別表示処理を行う（ステップＳ３０３）。個別表示処理は、図７に示した個別表示処理と同様であり、その終了後には直前の一覧表示画面に戻る。
【００７１】
個別表示処理の終了後、若しくは縮小イメージに対するクリック操作を受け付けていない場合（ステップＳ３０２；Ｎｏ）、表示操作処理部３４は、ソート条件を指定するソート操作を受付けたか否かを判定する（ステップＳ３０４）。ソート操作を受付けたならば（ステップＳ３０４；Ｙｅｓ）、表示操作処理部３４は、指定されたソート条件に従って縮小イメージ及び識別結果をソートして表示する（ステップＳ３０５）。
【００７２】
ステップＳ３０５の終了後、若しくはソート操作を受付けていない場合（ステップＳ３０４；Ｎｏ）、表示操作処理部３４は、ソート解除操作を受付けたか否かを判定する（ステップＳ３０６）。ソート解除操作を受付けたならば（ステップＳ３０６；Ｙｅｓ）、表示操作処理部３４は、特殊媒体の縮小イメージと識別結果とを取込順に並べた一覧表示画面を表示制御する（ステップＳ３０７）。
【００７３】
ステップＳ３０７の終了後、若しくはソート解除操作を受付けていない場合（ステップＳ３０６；Ｎｏ）、表示操作処理部３４は、全データの確定操作（一覧表示画面上での再確認）を受付けたか否かを判定する（ステップＳ３０８）。全データの確定操作を受け付けていなければ（ステップＳ３０８；Ｎｏ）、表示操作処理部３４は、ステップＳ３０２に移行する。そして、全データの確定操作を受け付けたならば（ステップＳ３０８；Ｙｅｓ）、一覧表示処理を終了する。
【００７４】
次に、紙幣処理装置１０を構成するバラ紙幣処理部１００及び束紙幣処理部２００について説明する。図９はバラ紙幣処理部１００の構成を示すブロック図であり、図１０は束紙幣処理部２００の構成を示すブロック図である。図２に示したように、バラ紙幣処理部１００及び束紙幣処理部２００を左右に配置して紙幣処理装置１０が構成されている。
【００７５】
図９に示すように、バラ紙幣処理部１００には、外部から筐体１０２内に紙幣を投入するためのバラ紙幣入金口１１０及び筐体１０２内から外部にバラ紙幣を投出するためのバラ紙幣出金口１５２が設けられている。バラ紙幣入金口１１０の紙幣は紙幣繰出部１１２により１枚ずつ筐体１０２内に繰り出され、入金搬送部１１４により搬送される。入金搬送部１１４に設けられた入金識別部１１６により、搬送される紙幣の金種、真偽、正損、新旧等が識別される。また、入金識別部１１６の紙幣搬送方向下流側には表裏反転部１１８が設けられ、入金識別部１１６により識別された紙幣の表裏が揃えられるようになっている。また、入金識別部１１６により、正常な紙幣ではないと識別された紙幣、すなわちリジェクト紙幣は入金リジェクト部１２０からリジェクトされる。
【００７６】
入金搬送部１１４には１つの一括一時保留部１３０と、複数の金種別一時保留部１３２とが接続されている。一括一時保留部１３０には複数金種の紙幣が混合状態で一時的に保留され、各金種別一時保留部１３２にはそれぞれ特定の金種の紙幣が一時的に保留される。また、一括一時保留部１３０に対応して１つの一括紙幣収納庫１４０が設けられ、各金種別一時保留部１３２に対応して金種別紙幣収納庫１４２が設けられている。一括紙幣収納庫１４０には一括一時保留部１３０から送られた紙幣が積層状態で収納され、金種別紙幣収納庫１４２には対応する金種別一時保留部１３２から送られた紙幣が積層状態で収納される。また、一括紙幣収納庫１４０及び各金種別紙幣収納庫１４２にはそれぞれ紙幣繰出部１４４が設けられており、一括紙幣収納庫１４０及び各金種別紙幣収納庫１４２の紙幣を１枚ずつ繰り出せるようになっている。なお、一括紙幣収納庫１４０は、例えば、市場での再利用に適さないと判定された損券や各金種別紙幣収納庫１４２が満杯となって収納できなかった紙幣等が、金種混合状態で収納される。
【００７７】
各紙幣繰出部１４４には下部搬送部１４６が接続されており、一括紙幣収納庫１４０や各金種別紙幣収納庫１４２から繰り出された紙幣が下部搬送部１４６により１枚ずつ搬送される。下部搬送部１４６には出金識別部１４８が接続されており、下部搬送部１４６により搬送される紙幣の金種、真偽、正損、新旧等が識別されるようになっている。また、出金識別部１４８には出金搬送部１５０が接続されている。出金搬送部１５０には、バラ紙幣出金口１５２、出金リジェクト部１５４、２つの整理一時保留部１６０がそれぞれ接続されており、出金識別部１４８により識別された紙幣のうち、筐体１０２の外部に投出される紙幣はバラ紙幣出金口１５２に送られて、バラ紙幣出金口１５２内部に集積される。また、出金識別部１４８により正常な紙幣ではないと識別された紙幣、すなわちリジェクト紙幣は、出金搬送部１５０により出金リジェクト部１５４に送られる。出金リジェクト部１５４に集積されたリジェクト紙幣は、バラ紙幣処理部１００の筐体１０２に設けられた扉を開いて取り出せるようになっている。また、出金識別部１４８により識別された紙幣のうち、束紙幣処理部２００により結束される紙幣は出金搬送部１５０により各整理一時保留部１６０に送られるようになっている。各整理一時保留部１６０では、出金搬送部１５０から送られた紙幣が積層状態で集積される。
【００７８】
入金搬送部１１４や出金搬送部１５０における分岐箇所にはそれぞれ分岐部材１７０が設けられており、これらの分岐部材１７０により、分岐箇所における紙幣の搬送先が制御されるようになっている。また、入金搬送部１１４、下部搬送部１４６、出金搬送部１５０には紙幣を検出する紙幣検出センサ１８０が複数設けられており分岐部材１７０による紙幣の搬送先制御のタイミングを決定するために利用されている。
【００７９】
図１０に示すように、束紙幣処理部２００には、バラ紙幣処理部１００内の整理一時保留部１６０に集積された紙幣の束を取り出すためのアーム部２１０と、アーム部２１０によって取り出された紙幣の束を帯封（結束）するための帯封部２１２とが設けられている。アーム部２１０は、例えば、上下一対のアーム（上アーム及び下アーム）から構成されており、整理一時保留部１６０に集積された紙幣の束を、上下一対のアームで上下方向から挟んで整理一時保留部１６０から取り出すようになっている。帯封部２１２の近傍にはテープセット部２１４が設けられており、このテープセット部２１４から帯封部２１２に送られた帯封紙によって、帯封部２１２において、例えば１００枚の紙幣の束が帯封される。帯封部２１２には帯封紙幣搬送部２１６が接続されており、帯封部２１２により帯封された束紙幣は帯封紙幣搬送部２１６により帯封紙幣出金口２１８に搬送される。帯封紙幣出金口２１８は束紙幣処理部２００の筐体２０２外部からアクセス可能となっており、操作員はこの帯封紙幣出金口２１８に送られた束紙幣を筐体２０２外から取り出せるようになっている。
【００８０】
また、帯封紙幣出金口２１８には帯封紙幣収納出金用搬送部２２０やリフト部２２４が接続されている。帯封紙幣収納出金用搬送部２２０には帯封紙幣判別部２２２が設けられており、帯封紙幣出金口２１８から帯封紙幣収納出金用搬送部２２０に送られた束紙幣の金種等の判別を行うようになっている。また、帯封紙幣収納出金用搬送部２２０には複数の帯封紙幣収納カセット２３０が接続されており、帯封紙幣出金口２１８により筐体２０２の外部に投出されない束紙幣が各帯封紙幣収納カセット２３０に金種別に収納される。各帯封紙幣収納カセット２３０にはカセット駆動部２３２が設けられており、各帯封紙幣収納カセット２３０に収納された束紙幣が帯封紙幣収納出金用搬送部２２０に繰出されるようになっている。各帯封紙幣収納カセット２３０から帯封紙幣収納出金用搬送部２２０に繰出された束紙幣は、リフト部２２４の上昇により帯封紙幣出金口２１８に送られて、筐体２０２の外部に投出される。また、帯封紙幣出金口２１８に送られた束紙幣はリフト部２２４により上下方向に搬送可能となっている。リフト部２２４の下部には束紙幣回収用の帯封紙幣投出口２２１が設けられており、リフト部２２４の下降により、束紙幣を帯封紙幣投出口２２１に送り、ここから束紙幣を筐体２０２の外部に投出することも可能である。
【００８１】
次に、硬貨処理装置２０を構成するバラ硬貨処理部３００及び包装硬貨処理部４００について説明する。図１１はバラ硬貨処理部３００の構成を示すブロック図であり、図１２は包装硬貨処理部４００の構成を示すブロック図である。図２に示したように、バラ硬貨処理部３００及び包装硬貨処理部４００を左右に配置して硬貨処理装置２０が構成されている。
【００８２】
図１１に示すように、バラ硬貨処理部３００の筐体３０２上部には、バラ硬貨を外部から受け入れるバラ硬貨入金口３１０と、このバラ硬貨入金口３１０から、装置内で硬貨を搬送する搬送路上に１枚ずつ硬貨を繰り出す硬貨繰出部３１２と、搬送路を搬送される硬貨の金種、真偽、正損、新旧等を識別する入金識別部３１４が配置されている。入金識別部３１４により識別された硬貨は、硬貨選別部３２０に搬送されて、ここで識別結果に基づいて選別される。正常な硬貨ではないと識別された硬貨、すなわちリジェクト硬貨は、入金リジェクト口３２２からリジェクトされる。
【００８３】
硬貨選別部３２０には１つの一括一時保留部３３０と、複数の金種別一時保留部３３２とがそれぞれ接続されている。一括一時保留部３３０には複数金種の硬貨が混合状態で一時的に保留され、各金種別一時保留部３３２にはそれぞれ特定の金種の硬貨が一時的に保留される。また、一括一時保留部３３０に対応して１つの一括硬貨収納庫３４０が設けられ、各金種別一時保留部３３２に対応して金種別硬貨収納庫３４２が設けられている。
【００８４】
入金処理時に、入金硬貨を識別して一時保留した状態で入金が確定されると、一括一時保留部３３０内の硬貨は一括硬貨収納庫３４０へ収納され、金種別一時保留部３３２内の硬貨は金種別硬貨収納庫３４２へ収納される。入金処理がキャンセルされた場合には、一括一時保留部３３０及び金種別一時保留部３３２内の硬貨は、返却回収箱３２６から返却される。なお、一括硬貨収納庫３４０は、例えば市場での再利用に適さないと判定された損貨や各金種別硬貨収納庫３４２が満杯となって収納できなかった硬貨等が、金種混合状態で収納される。
【００８５】
一括硬貨収納庫３４０及び各金種別硬貨収納庫３４２にはそれぞれ硬貨繰出部３４４が設けられており、一括硬貨収納庫３４０及び各金種別硬貨収納庫３４２の硬貨を１枚ずつ繰り出せるようになっている。各硬貨繰出部３４４にはバラ硬貨搬送部３５０が接続されており、一括硬貨収納庫３４０及び各金種別硬貨収納庫３４２から繰り出された硬貨がバラ硬貨搬送部３５０により搬送される。
【００８６】
バラ硬貨搬送部３５０に繰り出された硬貨を袋取シュート部３２４から回収する場合には、バラ硬貨搬送部３５０から入金識別部３１４へ向けて硬貨が搬送される。袋取シュート部３２４には硬貨袋を取り付けられるようになっており、入金識別部３１４により枚数計数された硬貨が、硬貨選別部３２０から袋取シュート部３２４へ送られて、硬貨袋内へ出金される。
【００８７】
一方、バラ硬貨搬送部３５０に繰り出された硬貨をバラ硬貨出金口３７０から出金する場合には、バラ硬貨搬送部３５０から出金識別部３５２へ向けて硬貨が搬送される。出金識別部３５２では、バラ硬貨搬送部３５０から搬送される硬貨の金種、真偽、正損、新旧等が識別される。出金識別部３５２には出金一時保留部３５４が接続されており、出金識別部３５２により識別された硬貨は出金一時保留部３５４に搬送される。出金一時保留部３５４には出金リジェクト箱３５６及び出金箱３６０が接続されており、出金識別部３５２による識別結果に基づいて、出金対象となる硬貨は出金箱３６０へ収納され、リジェクト硬貨は出金リジェクト箱３５６へ収納される。出金箱３６０は上下に移動可能に設けられており、出金対象となる全ての硬貨が収納された後、上方へ移動してバラ硬貨出金口３７０から硬貨を出金する。出金リジェクト箱３５６内のリジェクト硬貨は、筐体３０２に設けられた扉を開いて取り出せるようになっている。
【００８８】
金種別硬貨収納庫３４２に収納された硬貨により包装硬貨を作成する場合には、硬貨繰出部３４４によって金種別硬貨収納庫３４２から繰り出された硬貨が、受渡バラ硬貨収納部３８０に収納される。
【００８９】
図１２に示すように、包装硬貨処理部４００では、受渡バラ硬貨収納部３８０に収納された硬貨が硬貨繰出部４１０によって繰り出されて硬貨包装部４２０へ搬送され、ここで所定枚数（例えば５０枚）の硬貨を包装した包装硬貨が作成される。硬貨包装部４２０では、硬貨繰出部４１０によって繰り出された硬貨が所定枚数に達しなかった場合、作成した包装硬貨の長さが所定値を超えるために異常であると判断された場合に、これらが端数箱４３０へ収納される。端数箱４３０に収納された硬貨は、筐体４０２に設けられた扉を開いて取り出せるようになっている。
【００９０】
所定枚数の硬貨を包装して正常に包装硬貨が作成された場合には、この包装硬貨が硬貨包装部４２０から包装硬貨搬送部４４０へと送られる。そして、包装硬貨は、包装硬貨搬送部４４０により、包装硬貨の金種に対応する金種別包装硬貨収納庫４５０へ収納される。また、硬貨包装部４２０によって作成した包装硬貨を、包装硬貨搬送部４４０によって搬送し、包装硬貨一括箱４６０、包装硬貨出金口４８０又は包装硬貨投出口４７０を利用して外部に排出することもできる。
【００９１】
また、金種別包装硬貨収納庫４５０に収納された包装硬貨は包装硬貨搬送部４４０へ繰り出せるようになっており、金種別包装硬貨収納庫４５０から繰り出された包装硬貨を、包装硬貨搬送部４４０によって搬送し、包装硬貨一括箱４６０、包装硬貨出金口４８０又は包装硬貨投出口４７０から外部に排出することもできる。
【００９２】
次に、損貨処理装置５００及び損券処理装置６００について説明する。図１３は損貨処理装置５００の構成を示すブロック図であり、図１４は損券処理装置６００の構成を示すブロック図である。
【００９３】
図１３に示す損貨処理装置５００では、損貨入金口５１０から硬貨（損貨又は記念硬貨）が入金されると、画像取得部５２０により硬貨の画像が取得され、この画像が現金処理装置１の表示操作部４０に表示される。画像取得部５２０によって画像が取得された硬貨は、損貨搬送部５３０により一時保留部５３５へ搬送されて一時的に収納される。
【００９４】
硬貨が一時保留部５３５内に収納された状態で、操作員が、表示操作部４０に表示された画像を確認しながら表示操作部４０を操作して、硬貨の種類等の情報を入力する。具体的には、この硬貨が、流通硬貨の損貨、記念硬貨の正貨又は損貨のいずれであるかを示す情報と、金種等の硬貨の価値を示す情報とを入力する。こうして硬貨の種類が決定されると、一時保留部５３５内の硬貨が繰り出され、損貨搬送部５３０によって搬送されて、硬貨の種類に応じて、流通硬貨収納部５４０又は記念硬貨収納部５４４へ収納される。流通硬貨収納部５４０には流通硬貨の損貨が収納され、記念硬貨収納部５４４には記念硬貨の正貨及び損貨が収納される。流通硬貨収納部５４０及び記念硬貨収納部５４４は、それぞれが独立した箱形形状をして筐体から手前に引き出して内部に収納された硬貨を引き出し可能な構造となっているので、これらの収納部を引き出して硬貨の出金や回収を行なうことができる。
【００９５】
また一時保留部５３５内の硬貨は、損貨搬送部５３０によって返却硬貨収納部５４２へ送ることもできる。返却硬貨収納部５４２も箱形形状をして筐体５０２前部から手前へ引き出せる構成になっているので、損貨処理装置５００へ入金した硬貨を取り消して返却することもできる。
【００９６】
損貨処理装置５００の構成はこれに限られることなく、硬貨（損貨又は記念硬貨）の出金や回収時には、流通硬貨収納部５４０又は記念硬貨収納部５４４から対象となる硬貨が繰り出されて、損貨搬送部５３０によって搬送されて、返却硬貨収納部５４２へ収納されるようにしてもよい。
【００９７】
図１４に示す損券処理装置６００では、紙葉類入金口６１０から損券が入金されると、この損券は紙葉類繰出部６１２によって装置内に繰り出される。そして、画像取得部６２０により損券の画像が取得され、この画像が現金処理装置１の表示操作部４０に表示される。画像取得部６２０によって画像が取得された損券は、紙葉類搬送部６３０により一時保留部６４０へ搬送され、一時保留部６４０内に一時的に収納される。
【００９８】
なお、損券処理装置６００に、損券を入金する際には、損券の損傷度合いによって、専用のキャリアシートを利用する。キャリアシートは、一部が接合された一対の透明シートから構成されており、この一対の透明シートの間に損券を挟み込めるようになっている。損券を挟み込んだキャリアシートを紙葉類入金口６１０から装置内に繰り出すことにより、そのままでは正常に搬送できないほど損傷した損券であっても、キャリアシートに挟んだ状態で装置内を搬送して、画像を取得したり収納したりすることが可能となる。
【００９９】
損券が一時保留部６４０内に収納された状態で、操作員が、表示操作部４０に表示された画像を確認しながら表示操作部４０を操作して、損券の種類等の情報を入力する。具体的には、損券の券種を示す情報と、損券の価値を示す情報とを入力する。券種とは、紙幣の金種及び新旧に関する種類を特定するもので、例えば、金種が同じ一万円の紙幣が、券種では、紙幣の新旧によってＤ一万円券やＥ一万円券というように区別される。また、価値とは、損券の貨幣価値を示すもので、例えば、日本銀行では、損券が、一部が破れて欠損した紙幣である場合には、紙幣全体の面積に対する損券の残存面積の割合が２／３以上の場合は金種の全額の価値、２／５以上かつ２／３未満の場合は当該紙幣の金種の半額の価値、２／５未満の場合は価値がないと規定されている。表示操作部４０には、損券の券種や価値を判断するための参考となる券種のサンプル画像等の補助情報が表示され、操作員は、損券画像と補助情報とを確認しながら損券の券種及び価値を判断して入力できるようになっている。
【０１００】
こうして損券の種類が決定されると、一時保留部６４０内の損券が繰り出され、紙葉類搬送部６３０によって搬送されて、損券収納部（第１収納部）６５２又は損券収納繰出部（第２収納部）６５４に収納される。損券収納部６５２は損券を集積して収納する集積方式の収納部であり、キャリアシートを利用して装置内に繰り出された損券は損券収納部６５２へ収納される。一方、キャリアシートを利用することなく装置内に繰り出された損券はテープ式の損券収納繰出部６５４へ収納される。損券収納繰出部６５４は、ドラムによって巻き取られる２枚のテープの間に損券を挟み込んで収納するテープ式の収納部である。損券収納繰出部６５４では、損券をドラムに巻き取って収納することに加えて、ドラムを逆回転させてテープの間に挟み込んだ損券を紙葉類搬送部６３０に繰り出せるようになっている。
【０１０１】
損券収納部６５２に集積された損券を回収する際には、筐体６０２の扉を開いて損券収納部６５２内の損券をキャリアシートごと取り出して回収する。損券収納繰出部６５４に収納された損券を回収する際には、損券収納繰出部６５４から紙葉類搬送部６３０に繰り出して、紙葉類出金口６８０へ排出してから回収する。
【０１０２】
なお、ここでは損券の入出金についてのみ説明するが、損券処理装置６００は、損券以外に小切手等の紙葉類の入金処理と新券（市場流通していない完封券）の出金処理とを行えるようになっている。具体的には、小切手入金時には、損券の場合と同様に、紙葉類入金口６１０から入金された小切手は、画像取得部６２０によって画像が取得された後、紙葉類搬送部６３０によって搬送されて小切手収納部６５０に収納される。また、新券出金時には、新券収納部６６０に収納されている新券が繰り出されて新券判別部６６２により金種のみを識別する簡易識別が行われた後、紙葉類搬送部６３０によって搬送されて紙葉類出金口６８０から出金される。
【０１０３】
現金処理装置１では、管理制御部３０が、上述した紙幣処理装置１０、硬貨処理装置２０、損貨処理装置５００及び損券処理装置６００で行われる各処理を監視して、各装置内部に収納されている貨幣の金額、枚数、正損の状態、形態等を管理している。
【０１０４】
次に、表示操作部４０の角度調整機構について説明する。図１５は、表示操作部４０の角度調整機構について説明するための説明図である。図１５に示すように表示操作部４０は、その下部に回転軸４１を有し、アーム４２により現金処理装置１の上面に設けた固定端４３に接続されている。
【０１０５】
図１５（ａ）に示した状態から、表示操作部４０の下端をスライドさせると、アーム４２の表示操作部４０及び固定端４３に対する角度が変わることにより、図１５（ｂ）に示すように表示操作部４０の角度を調整することができる。このため、現金処理装置１の前に立って操作する操作者は、自身の目線の高さに合わせて表示操作部４０の角度を設定することが可能となる。アーム４２による角度の調整範囲は、現金処理装置１の上面に対して２５度〜４５度程度とすることが好適である。
【０１０６】
一方、各装置に生じたエラーを解除する場合等には、装置を開けて内部にアクセスする事態が生じる。このような場合には、操作者は現金処理装置１の前に立つのではなく、その前にしゃがんで操作することがある。
【０１０７】
かかるケースでは、表示操作部４０の上部を引き起こすことにより、図１５（ｃ）に示すように、表示操作部４０の回転軸４１を支点に表示操作部４０の角度を調整する。回転軸４１を利用した角度の調整では、現金処理装置１の上面に対して９０度以上とすることが可能であり、操作者は現金処理装置１の前にしゃがんでいても表示操作部４０の表示内容を確認できる。このため、エラー解除手順等を表示操作部４０に表示させ、その表示内容を見ながら操作することができるのである。
【０１０８】
上述してきたように、本実施例にかかる現金処理装置１は、特殊媒体の投入時に個別表示画面を表示して識別結果を確認させ、さらに全ての特殊媒体の投入後に一覧表示画面を表示して識別結果を再確認させることにより、識別ミスを効率的に防止することができる。
【０１０９】
また、金種や券種によりソートして一覧表示することにより、同一の金種や券種でのイメージ比較が容易になり、識別ミスを効率的に防止する事ができる。
【０１１０】
また、表示操作部４０の角度をアーム４２と回転軸４１の双方を用いて調整することができるので、操作者の身長や体勢に合わせた角度調整が可能となり、操作性を向上することができる。
【０１１１】
なお、本実施例に開示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１１２】
以上のように、本発明に係る特殊媒体収納装置及び特殊媒体収納方法は、機械的に真偽や金種等を識別判定することが困難な特殊媒体の識別を支援し、識別ミスを効率的に防止することに適している。
【符号の説明】
【０１１３】
１  現金処理装置
１０  紙幣処理装置
２０  硬貨処理装置
３０  管理制御部
３１  紙幣処理制御部
３１ａ、３２ａ  バラ入出金処理部
３１ｂ  束入出金処理部
３１ｃ  結束処理部
３１ｄ、３２ｄ  精査処理部
３２  硬貨処理制御部
３２ｂ  棒金入出金処理部
３２ｃ  包装処理部
３３  特殊媒体処理制御部
３３ａ  受付処理部
３３ｂ  払出処理部
３３ｃ  縮小イメージ生成部
３３ｄ  特殊媒体データ管理部
３４  表示操作処理部
４０  表示操作部
４１  回転軸
４２  アーム
４３  固定端
５０  プリンタ
１００  バラ紙幣処理部
１０２、２０２、３０２、４０２、５０２、６０２  筐体
１１０  バラ紙幣入金口
１１２、１４４  紙幣繰出部
１１４  入金搬送部
１１６、３１４  入金識別部
１１８  表裏反転部
１２０  入金リジェクト部
１３０、３３０  一括一時保留部
１３２、３３２  金種別一時保留部
１４０  一括紙幣収納庫
１４２  金種別紙幣収納庫
１４６  下部搬送部
１４８、３５２  出金識別部
１５０  出金搬送部
１５２  バラ紙幣出金口
１５４、３５６  出金リジェクト部
１６０  整理一時保留部
１７０  分岐部材
１８０  紙幣検出センサ
２００  束紙幣処理部
２１０  アーム部
２１２  帯封部
２１４  テープセット部
２１６  帯封紙幣搬送部
２１８  帯封紙幣出金口
２２０  帯封紙幣収納出金用搬送部
２２１  帯封紙幣投出口
２２２  帯封紙幣判別部
２２４  リフト部
２３０  帯封紙幣収納カセット
２３２  カセット駆動部
３００  バラ硬貨処理部
３１０  バラ硬貨入金口
３１２、３４４、４１０  硬貨繰出部
３２０  硬貨選別部
３２２  入金リジェクト口
３２４  袋取シュート部
３２６  返却回収箱
３４０  一括硬貨収納庫
３４２  金種別硬貨収納庫
３５０  バラ硬貨搬送部
３５４  出金一時保留部
３６０  出金箱
３７０  バラ硬貨出金口
３８０  受渡バラ硬貨収納部
４００  包装硬貨処理部
４２０  硬貨包装部
４３０  端数箱
４４０  包装硬貨搬送部
４５０  金種別包装硬貨収納庫
４６０  包装硬貨一括箱
４７０  包装硬貨投出口
４８０  包装硬貨出金口
５００  損貨処理装置
５１０  損貨入金口
５２０、６２０  画像取得部
５３０  損貨搬送部
５３５、６４０  一時保留部
５４０  流通硬貨収納部
５４２  返却硬貨収納部
５４４  記念硬貨収納部
６００  損券処理装置
６１０  紙葉類入金口
６１２  紙葉類繰出部
６３０  紙葉類搬送部
６５０  小切手収納部
６５２  損券収納部
６５４  損券収納繰出部
６６０  新券収納部
６６２  新券判別部
６７０  ポスト
６８０  紙葉類出金口
【図１】
2015095109.tif 000003
【図２】
2015095109.tif 000004
【図３】
2015095109.tif 000005
【図４】
2015095109.tif 000006
【図５】
2015095109.tif 000007
【図６】
2015095109.tif 000008
【図７】
2015095109.tif 000009
【図８】
2015095109.tif 000010
【図９】
2015095109.tif 000011
【図１０】
2015095109.tif 000012
【図１１】
2015095109.tif 000013
【図１２】
2015095109.tif 000014
【図１３】
2015095109.tif 000015
【図１４】
2015095109.tif 000016
【図１５】
2015095109.tif 000017